(57)【要約】  少なくとも１の有害生物防除剤で処理され、貯蔵貨物を囲むことができるネット（２２）により形成されたかご状の構造体（２０）を含む、コンテナ（１０）における貯蔵貨物を保護するためのシステムであって、かご状の構造体（２０）が、有害生物防除剤で処理されたネットを吊るすための手段（１４、２８、３０、３２、３４）、および少なくとも１のネット（２２）の少なくとも１の部分（２４）上にかご状の構造体を開閉するための手段（２６）を更に含む、前記システム。システムは特にたばこ、コーヒー、乾燥果実、ココア、ナッツ、茶、穀物、野菜、香辛料および動物の輸送に有用である。【選択図】  図２
2014520514.tif 000002
【特許請求の範囲】
【請求項１】
少なくとも１の有害生物防除剤で処理され、貯蔵貨物を囲むことができるネット（２２）により形成されたかご状の構造体（２０）を含む、コンテナ（１０）における貯蔵貨物を保護するためのシステムであって、かご状の構造体（２０）が、有害生物防除剤で処理されたネットを吊るすための手段（１４、２８、３０、３２、３４）、および少なくとも１のネット（２２）の少なくとも１の部分（２４）上の、かご状の構造体を開閉するための手段（２６）を更に含む、前記システム。
【請求項２】
少なくとも１の有害生物防除剤で処理されたネットを吊るすための手段（１４、２８、３０、３２、３４）が革ひも（３４）、リング（３０）、ホック（１４）、クランプ、結束バンド（３２）、ケーブル／ロープ／鎖、輪ゴムおよび／またはグロメット（２８）を含む、請求項１に記載のシステム。
【請求項３】
かご状の構造体を開閉するための手段（２６）がジッパー、面ファスナー(Velcro strips)、接着テープ、ケーブル／ロープ／鎖、グロメット、革ひもおよび／または輪ゴムを含む、請求項１または２に記載のシステム。
【請求項４】
かご状の構造体（２０）が単一の３次元ネット（２２）により形成される、請求項１〜３のいずれか１項に記載のシステム。
【請求項５】
システムが害虫レベルを監視するための手段を更に含む、請求項１〜４のいずれか１項に記載のシステム。
【請求項６】
害虫レベルを監視するための手段がかご状の構造体の内部および／または外のフェロモントラップを含む、請求項５に記載のシステム。
【請求項７】
コンテナが乗り物の荷積み領域である、請求項１〜６のいずれか１項に記載のシステム。
【請求項８】
コンテナがＩＳＯコンテナである、請求項１〜７のいずれか１項に記載のシステム。
【請求項９】
請求項１〜８のいずれか１項に記載のシステムをコンテナ（１０）中に取り付ける工程および貨物をかご状の構造体（２０）の内部に置く工程を含む、コンテナ（１０）における輸送中の貨物を保護する方法。
【請求項１０】
貯蔵貨物を保護するためのシステムが害虫レベルを監視するための手段を含む、請求項９に記載の方法。
【請求項１１】
観測される害虫レベルが既定の閾値を超えた場合、コンテナ（１０）を燻蒸する、請求項１０に記載の方法。
【請求項１２】
貨物がたばこ、コーヒー、乾燥果実、ココア、ナッツ、茶、穀物、野菜および香辛料から選択される、請求項９または１０に記載の方法。
【請求項１３】
貨物が動物である、請求項９または１０に記載の方法。
【請求項１４】
輸送中のコンテナにおける貯蔵貨物を保護するための請求項１〜７のいずれか１項に記載されたシステムの使用。
【発明の詳細な説明】
【技術分野】
【０００１】
本発明は、害虫（有害生物）から輸送コンテナ中の貨物（物品）を保護するためのシステムおよび該システムを適用することにより害虫から輸送コンテナにおける貯蔵貨物(stored goods)を保護するための方法に関する。
【背景技術】
【０００２】
天然起源の多くの食物、たばこおよびその他の製品は、それらを小売業者および消費者に配送するまでに長距離にわたって輸送される必要がある。この間、これらの製品は、様々な害虫により寄生・侵襲され易い傾向がある。例えば、毎年、４億ＵＳドルのたばこが、害虫の寄生により失われている。貯蔵されたココアおよびコーヒーのそれぞれ４％および５％にあたる５億ＵＳドル以上もまた、１年ごとに害虫により失われている。
【０００３】
従って、輸送中の害虫に対する食物およびその他の製品の損失を最小限にすることは、常に問題となる。
【０００４】
現在、主に燻蒸、加熱および凍結処理が輸送コンテナにおける害虫を制御するために使用されている。しかしながら、燻蒸にはコンテナの密閉が必要である。加えて、大部分の燻蒸はヒトに対して極めて毒性である。このように、正しく処理されなかった場合、それらは、従事する作業者にとって潜在的な健康被害を起こす。加えて、貯蔵製品における燻蒸剤の残留を避けなければならない。
【０００５】
それ故、現在実施されている方法の代わりとなる方法が、大いに望まれている。
【０００６】
国際公開第２００７／１４４４０１号は、たばこを有害生物に対して保護活性を有するネットで覆うことにより、貯蔵中に有害生物からたばこを保護する方法を記載している。
【０００７】
国際公開第２００８／０５２９１３号は、１以上の植物を安定化構造およびメッシュ生地を含む装置で覆う工程を含む有害生物から作物を保護する方法を開示しており、該メッシュ生地は、有害生物防除剤を染み込ませてあり、光、空気および水が透過することができる。
【先行技術文献】
【特許文献】
【０００８】
【特許文献１】国際公開第２００７／１４４４０１号
【特許文献２】国際公開第２００８／０５２９１３号
【発明の概要】
【発明が解決しようとする課題】
【０００９】
しかしながら、これらの文献のいずれもが、現代の世界的な輸送および物流における貨物を保護するという個別の要求に向けられていない。このような環境において実現可能となるためには、貨物を保護するためのシステムが様々な要求、例えば、
−作業者に対する健康被害および貯蔵貨物中の有害生物防除剤残留の回避、
−システムを異なる種類の輸送コンテナに適用するための柔軟性、
−取り付けおよび使用の容易性、
−物理的安定性、
−操作中の取り扱いの容易性および安全性
を満たさなくてはならない。
【課題を解決するための手段】
【００１０】
上記要求は、輸送コンテナの壁が有害生物防除剤で処理され貯蔵貨物を囲むことができるネットにより覆われている、輸送コンテナにおける貯蔵貨物を保護するためのシステムにより満たされことが判明した。
【００１１】
したがって、本発明の１つの側面は、少なくとも１の有害生物防除剤で処理され、貯蔵貨物を囲むことができるネットにより形成されたかご状の構造体を含む、コンテナにおける貯蔵貨物を保護するためのシステムであって、かご状の構造体が、
少なくとも１の有害生物防除剤で処理されたネットを吊るすための手段、
および、少なくとも１のネットの少なくとも１の部分上にあるかご状の構造体を開閉するための手段、
を更に含む、前記システムを提供する。
【００１２】
本発明の更なる側面では、かご状の構造体をコンテナ中に取り付ける工程および貨物をかご状の構造体の内部に置く工程を含む、輸送中の貨物を保護するための方法を提供する。
【００１３】
本発明のシステムは、いくつかの利点、例えば、
−作業者に対する健康被害および輸送される貨物中の有害生物防除剤残留の回避、
−システムを異なる種類のコンテナに適用するための柔軟性、
−取り付けおよび使用の容易性、
−物理的安定性、
−操作中の取り扱いの容易性および安全性
を提供する。
【図面の簡単な説明】
【００１４】
【図１】図１は、システムが取り付けられたコンテナを透視図で示す。
【図２】図２は、システムが取り付けられたコンテナを前から見た図を示す。
【図３】図３ａ、ｂは、コンテナに取り付けられたシステムの更なる実施形態を示す。
【発明を実施するための形態】
【００１５】
本システムは、かご状の構造体のサイズを変更することによりどんなサイズのコンテナにも適用することができる。ＩＳＯコンテナの典型的なサイズは、長さ６．０５８メートル、幅２．４３８メートルおよび高さ２．５９１メートル〜長さ１３．７１６メートル、幅２．４３８メートルおよび高さ２．８９６メートルで変化する。
【００１６】
システムはまた、貨物を囲まれた領域内に入れて輸送するトラックまたはその他の輸送手段により輸送される貨物を保護するために適用することもできる。本明細書で使用される用語「コンテナ」は、乗り物、例えばトラックの荷積み領域も含む。かご状の構造体は、貯蔵貨物を保護するために要求されるいずれの形状にも適用することができる。
【００１７】
本明細書において使用される用語「壁」は、コンテナまたはその他の貨物の輸送のために使用される囲まれた領域の壁、天井および床を含む。これは、有害生物防除剤で処理されたネットが、保護すべき貨物の全ての面上を囲うことを意味する。
【００１８】
害虫は、かご状の構造体により保護された領域に入ることができない。
【００１９】
本発明の好適な実施形態では、かご状の構造体は、単一の３次元ネットにより形成される。このようにして、構造体の側面、頂部および／または底の間の隙間を避ける。
【００２０】
システムの適応性は、革ひも、結束バンド、リング、ホック、クランプ、ケーブル／ロープ／鎖、輪ゴムおよび／またはグロメットを含む、有害生物防除剤で処理されたネットをコンテナの少なくとも２の壁および／または天井に固定するための手段を提供することにより達成される。
【００２１】
標準のＩＳＯコンテナは、大部分の材料の輸送において使用されるライナーバッグを固定するための好適な受器を提供する。これらの手段はまた、有害生物防除剤で処理されたネットを固定する上記手段のための好適な受器である。かご状の構造体が、好適な受器がない場所に取り付けられる場合、かご状の構造体は、囲まれた領域の少なくとも２の壁上および／または天井に支持枠(support frame)を固定することにより取り付けられる。支持枠は、熟練者に知られている、例えば、ボルト、ねじ、ナット、クランプおよびブラケットを含む好適な固定部品を使用して取り付ることができる。
【００２２】
日々の荷積みの仕事において、フォークリフトが使用される。本発明の好適な実施形態では、ネットは、ネットがフォークリフトに耐える(bear)ことができるようになっている。かご状の構造体を開閉するための手段は、ほぼ長方形の前面部にはっきりとした開口部が形成され、それがフォークリフトによる出入りを妨げないようになっている。
【００２３】
本発明の別の実施形態では、かご状の構造体を開閉するための手段はかご状の構造体の前面部分が完全に取り外せるようになっている。
【００２４】
本発明の１つの実施形態では、有害生物防除剤で処理されたネットを固定するための手段は破壊パイント(breaking pint)を備え、最大積載量を超えた場合にはネットが解放される。
【００２５】
本発明の１つの重要な側面は、日々の輸送の仕事におけるシステムの使用の容易性である。システムは、保護される貨物の容易な配置および移動が可能でなければならない。これは、ネットの一部分の取り外し、ネットの一部分の持ち上げ、またはネットの一部分をわきに寄せることにより開けることができる少なくとも１の部分を、かご状の構造体に具備することにより達成される。
【００２６】
かご状の構造体は、少なくとも１のネットの少なくとも１の部分を手動で開閉するための手段を備えることができる。これらの手段は、ジッパー、面ファスナー(Velcro strips)、接着テープ、ケーブル／ロープ／鎖、革ひもおよび／または輪ゴムを含む。
【００２７】
本発明の１つの実施形態では、ネットまたはかご状の構造体の頂部を覆うネットの部分は、ネットのたわみ（垂れ下がり）を低減するためのロープを含む。
【００２８】
本発明の１つの重要な側面は、害虫レベルを制御するために必要な有害生物防除剤の量を減らすこと、特にコンテナの燻蒸を避けることである。これは、昆虫および害虫がシステム内部の保護される貯蔵空間に入ることを効率的に妨げることにより達成される。したがって、コンテナおよび貯蔵貨物に最初に害虫がいないことは非常に重要である。
【００２９】
さらに、システムの有効性を評価するためにコンテナ中および貯蔵構造体の内部の害虫レベルを監視することが有用であり得る。
【００３０】
このように、システムの好適な実施形態では、システムは、害虫の感染を監視するための手段を更に含む。これらの手段は、保護される領域における、貯蔵貨物の近くおよび／または貯蔵構造体の外に配置されたフェロモントラップを含む。
【００３１】
本発明の更なる側面では、本発明によるシステムをコンテナ中に取り付ける工程および貨物をかご状の構造体の内部に置く工程を含む、コンテナにおける輸送中の貨物を保護するための方法を提供する。
【００３２】
本発明の好適な実施形態では、かご状の構造体の少なくとも１の部分上のネットは、かご状の構造体を開閉するための手段を備え、かご状の構造体は、かご状の構造体の中または外に貨物を移動／取り出す前に開けて、その後閉められる。
【００３３】
本発明の好適な実施形態では、貨物は、貨物をかご状の構造体の内部に置く前に害虫に対して処理される。害虫に対する処理は燻蒸を含むことができる。
【００３４】
別の好適な実施形態では、かご状の構造体の内部の害虫レベルが監視される。レベルは、害虫に対するシステムの有効性を評価することができるように経時的に追跡される。害虫レベルが上昇する場合および／またはネットが特定の既定の期間使用された後は、有害生物防除剤で処理されたネットを交換すべきである。
【００３５】
さらに、害虫レベルを監視するための手段が、輸送された貨物が害虫がない状態で運ばれたことを示す場合、他の場合には要求される貨物の燻蒸を省略することができる。
【００３６】
かご状の構造体を形成するのに使用されたネットは、廃棄のために製造業者に戻すことが好ましい。
【００３７】
本発明で使用されるネットは、１以上の有害生物防除剤を染み込ませる。一般に、有害生物防除剤は、材料中（例えば、プラスチックマトリックス中に）に組み込まれるもしくは材料の表面に適用されるまたはその両方である。
【００３８】
好適な実施形態では、材料は、
ａ）少なくとも１の有害生物防除剤（成分Ａ）および
ｂ）少なくとも１の高分子結合剤（成分Ｂ）
を含む組成物で処理される。
【００３９】
このような組成物は、例えば国際公開第２００７／１４４４０１号に開示されている。
【００４０】
本明細書で使用される用語「有害生物防除剤」は、殺虫剤、忌避剤および殺菌剤を含む。
【００４１】
本明細書で使用される用語「殺虫剤」は、文脈に述べられている場合を除き、殺節足動物（特に、殺昆虫、ダニ駆除(acaricidal)および殺ダニ(miticidal)）、軟体動物駆除(molluscicidal)および殺鼠活性を有する薬剤を含む。
【００４２】
本明細書で使用される用語「殺菌剤」は、文脈に述べられている場合を除き、殺真菌(fungicidal)、殺微生物(microbicidal)および殺ウイルス活性を有する薬剤を含む。
【００４３】
好適には、有害生物防除剤は、殺虫剤、または忌避剤である。
【００４４】
有害生物防除剤（成分Ａ）
好適には、有害生物防除剤は、昆虫を迅速に麻痺または殺す効果を有し、低い哺乳類毒性である殺虫剤および／または忌避剤である。好適な殺虫剤および／または忌避剤は、当業者により知られている。好適な殺虫剤および忌避剤は、例えばＥ．Ｃ．  Ｔｏｍｌｉｎら、  Ｔｈｅ  Ｐｅｓｔｉｃｉｄｅ  Ｍａｎｕａｌ、  １３ｅｄ．、  Ｔｈｅ  Ｂｒｉｔｉｓｈ  Ｃｒｏｐ  Ｐｒｏｔｅｃｔｉｏｎ  Ｃｏｕｎｃｉｌ、  Ｆａｒｎｈａｍ  ２００３およびそこで引用されている文献に開示されている。
【００４５】
好適な殺虫剤および／または忌避剤を下記に記載する：
ピレスロイド化合物、例えば
エトフェンプロックス：  ２−（４−エトキシフェニル）−２−メチルプロピル−３−フェノキシベンジル  エーテル、
クロルフェナピル：  ４−ブロモ−２−（４−クロロフェニル）−１−エトキシメチル−５−（トリフルオロメチル）ピロール−３−カルボニトリル、
フェンバレレート：  （ＲＳ）−アルファ−シアノ−３−フェノキシベンジル  （ＲＳ）−２−（４−クロロフェニル）−３  メチルブチレート、
エスフェンバレレート：  （Ｓ）−アルファ−シアノ−３−フェノキシベンジル  （Ｓ）−２−（４−クロロフェニル）−３−メチルブチレート、
フェンプロパトリン：  （ＲＳ）−アルファ−シアノ−３−フェノキシベンジル  ２，２，３，３−テトラメチルシクロプロパンカルボキシレート、
シペルメトリン：  （ＲＳ）−アルファ−シアノ−３−フェノキシベンジル  （１ＲＳ）−ｃｉｓ，  ｔｒａｎｓ−３−（２，２−ジクロロビニル）−２，２−ジメチルシクロプロパンカルボキシレート、
アルファ−シペルメトリン：  （Ｓ）−α−（１Ｒ）および（Ｒ）−α−（１Ｓ）ジアステレオマーを含むラセミ体、
ペルメトリン：  ３−フェノキシベンジル（１ＲＳ）−ｃｉｓ，  ｔｒａｎｓ−３−（２，２−ジクロロビニル）−２，２−ジメチルシクロプロパンカルボキシレート、
シハロトリン：  （ＲＳ）−アルファ−シアノ−３−フェノキシベンジル  （Ｚ）−（１ＲＳ）−ｃｉｓ−３−（２−クロロ−３，３，３−トリフルオロプロぺ−１−エニル）−２，２−ジメチルシクロプロパンカルボキシレート、  ラムダ−シハロトリン、
デルタメトリン：  （Ｓ）−アルファ−シアノ−３−フェノキシベンジル  （１Ｒ）−ｃｉｓ−３−（２，２−ジブロモビニル）−２，２−ジメチルシクロプロパンカルボキシレート、
シクロプロトリン：  （ＲＳ）−アルファ−シアノ−３−フェノキシベンジル  （ＲＳ）−２，２−ジクロロ−１−（４−エトキシフェニル）シクロプロパンカルボキシレート、
フルバリネート：  アルファ−シアノ−３−フェノキシベンジル  Ｎ−（２−クロロ−アルファ，  アルファ，  アルファ，  アルファ−トリフルオロ−ｐ−トリル）−Ｄ−バリネート、
ビフェントリン：  （２−メチルビフェニル−３−イルメチル）０（Ｚ）−（１ＲＳ）−ｃｉｓ−３−（２−クロロ−３，３，３−トリフルオロ−１−プロぺニル）−２，２−ジメチルシクロプロパンカルボキシレート、
２−メチル−２−（４−ブロモジフルオロメトキシフェニル）プロピル  （３−フェノキシベンジル）エーテル、
トラロメトリン：  （Ｓ）−アルファ−シアノ−３−フェノキシベンジル  （１Ｒ−ｃｉｓ）３（（１’ＲＳ）（１’，  ２’，  ２’，  ２’−テトラ−ブロモエチル））−２，２−ジメチルシクロプロパンカルボキシレート、
シラフルオフェン：  ４−エトキシフェニル（３−（４−フルオロ−３−フェノキシフェニル）プロピル｝ジメチルシラン、
Ｄ−フェノトリン：  ３−フェノキシベンジル  （１Ｒ）−ｃｉｓ，  ｔｒａｎｓ）−クリサンテメート、
シフェノトリン：  （ＲＳ）−アルファ−シアノ−３−フェノキシベンジル  （１Ｒ−ｃｉｓ，  ｔｒａｎｓ）−クリサンテメート、
Ｄ−レスメトリン：  ５−ベンジル−３−フリルメチル  （１Ｒ−ｃｉｓ，  ｔｒａｎｓ）−クリサンテメート、
アクリナトリン：  （Ｓ）−アルファ−シアノ−３−フェノキシベンジル  （１Ｒ−ｃｉｓ（Ｚ））−（２，２−ジメチル−３−（オキソ−３−（１，１，１，３，３，３−ヘキサフルオロプロピルオキシ）プロぺニル（シクロプロパンカルボキシレート、
シフルトリン：  （ＲＳ）−アルファ−シアノ−４−フルオロ−３−フェノキシベンジル  ３−（２，２−ジクロロビニル）−２，２−ジメチルシクロプロパンカルボキシレート、
テフルトリン：  ２，３，５，６−テトラフルオロ−４−メチルベンジル  （１ＲＳ−ｃｉｓ  （Ｚ））−３−（２−クロロ−３，３，３−トリフルオロ−プロぺ−１−エニル）−２，２−ジメチルシクロプロパンカルボキシレート、
トランスフルトリン：  ２，３，５，６−テトラフルオロベンジル  （１Ｒ−ｔｒａｎｓ）−３−（２，２−ジクロロビニル）−２，２−ジメチル−シクロプロパンカルボキシレート、
テトラメトリン：  ３，４，５，６−テトラヒドロフタルイミドメチル  （１ＲＳ）−ｃｉｓ，  ｔｒａｎｓ−クリサンテメート、
アレトリン：  （ＲＳ）−３−アリル−２−メチル−４−オキソシクロペンテ−２−エニル  （１ＲＳ）−ｃｉｓ，  ｔｒａｎｓ−クリサンテメート、
プラレトリン：  （Ｓ）−２−メチル−４−オキソ−３−（２−プロピニル）シクロペンテ−２−エニル  （１Ｒ）−ｃｉｓ，  ｔｒａｎｓ−クリサンテメート、
エンペントリン：  （ＲＳ）−１−エチニル−２−メチル−２−ペンテニル  （１Ｒ）−ｃｉｓ，ｔｒａｎｓ−クリサンテメート、
イミプロトリン：  ２，５−ジオキソ−３−（プロピ−２−イニル）イミダゾリジン−１−イルメチル  （１Ｒ）−ｃｉｓ，  ｔｒａｎｓ−２，２−ジメチル−３−（２−メチル−１−プロペニル）−シクロプロパンカルボキシレート、
Ｄ−フラメトリン：  ５−（２−プロピニル）−フルフリル  （１Ｒ）−ｃｉｓ，  ｔｒａｎｓ−クリサンテメート、  および  ５−（２−プロピニル）フルフリル  ２，２，３，３−テトラメチルシクロプロパンカルボキシレート；
ピリプロキシフェン：  ４−フェノキシフェニル  （ＲＳ）−２−（２−ピリジルオキシ）プロピル  エーテル；
除虫菊（ｐｙｒｅｔｈｒｕｍ）；
ｄ−ｄ，  ｔｒａｎｓ−シフェノトリン：  （ＲＳ）−α−シアノ−３−フェノキシベンジル  （１ＲＳ，３ＲＳ；１ＲＳ，３ＳＲ）−２，２−ジメチル−３−（２−メチルプロペ−１−エニル）シクロプロパンカルボキシレート；
ラムダ−シハロトリン：
（Ｚ）−（１Ｒ，３Ｒ），Ｒ−エステル  および  （Ｚ）−（１Ｓ，３Ｓ），  Ｓ−エステルの１：１  混合物として、α−シアノ−３−フェノキシベンジル−３−（２−クロロ−３，３，３−トリフルオロプロペ−１−エニル）−２，２−ジメチルシクロプロパン  カルボキシレート、
カルバメート化合物、例えば、
アラニカルブ：  Ｓ−メチル−Ｎ［［Ｎ−メチル−Ｎ−［Ｎ−ベンジル−Ｎ（２−エトキシ−カルボニルエチル）アミノ−チオ］カルバモイル］チオアセトイミデート、
ベンジオカルブ：  ２，２−ジメチル−１，３−ベンゾジオキソール−４−イル−メチルカルバメート）、
カルバリル（１−ナフチル  Ｎ−メチルカルバメート、
イソプロカルブ：  ２−（１−メチルエチル）フェニル  メチルカルバメート、
カルボスルファン：  ２，３  ジヒドロ−２，２−ジメチル−７−ベンゾフラニル［（ジブチルアミノ）チオ］メチル−カルバメート、
フェノキシカルブ：  エチル［２−（４−フェノキシフェノキシ）エチル］カルバメート、
インドキサカルブ：  メチル−７−クロロ−２２，３，４°，５−テトラヒドロ−２−［メトキシカルボニル  （−４−トリフルオロメトキシフェニル）］
プロポキスル：  ２−イソプロピルオキシフェノール  メチルカルバメート、
ピリミカルブ：  ２−ジメチルアミノ−５，６−ジメチル−４−ピリミジニル−ジメチルカルバメート、
チオジオカルブ：  ジメチル  Ｎ，Ｎ’（チオビス（（メチルイミノ）カルボノイルオキシ）ビスエタンイミジオチオエート）、
メトミル：  Ｓ−メチル  Ｎ−（（メチルカルバモイル）オキシ）チオアセトアミデート、
エチオフェンカルブ：  ２−（（エチルチオ）メチル）フェニル  メチルカルバメート、
フェノチオカルブ：  Ｓ−（４−フェノキシブチル）−Ｎ，Ｎ−ジメチル  チオカルバメート、
カルタップ：  Ｓ，Ｓ’−（２−５  ジメチルアミノ）トリメチレン）ビス（チオカルバメート）ヒドロクロライド、
フェノブカルブ：  ２−ｓｅｃ−ブチルフェニルメチル  カルバメート、
ＸＭＣ：  ３，５−ジメチルフェニル−メチル  カルバメート、
キシリルカルブ：３，４−ジメチルフェニルメチルカルバメート；
有機リン化合物、例えば、
トリクロルホン：  リン酸、  （２，２，２−トリクロロ−１−ヒドロキシエチル）−，  ジメチル  エステル、
フェニトロチオン：  Ｏ，Ｏ−ジメチル  Ｏ−（４−ニトロ−ｍ−トリル）ホスホロチオエート、
ダイアジノン：  Ｏ，Ｏ−ジエチル−Ｏ−（２−イソプロピル−６−メチル−４−ピリミジニル）ホスホロチオエート、
ピリダフェンチオン：  Ｏ−（１，６−ジヒドロ−６−オキソ−１−フェニルピラジジン−３−イル）  Ｏ，Ｏ−ジエチル  ホスホロチオエート、
ピリミホス−エチル：  Ｏ，Ｏ−ジエチル  Ｏ−（２−（ジエチルアミノ）６−メチル−ピリミジニル）ホスホロチオエート、
ピリミホス−メチル：  Ｏ−［２−（ジエチルアミノ）−６−メチル−４  ピリミジニル］  Ｏ，Ｏ−ジメチル  ホスホロチオエート、
エトリムホス：  Ｏ−６−エトキシ−２−エチル−ピリミジン−４−イル−Ｏ，Ｏ−ジメチル−ホスホロチオエート、
フェンチオン：  Ｏ，Ｏ−ジメチル−Ｏ−［−３−メチル−４−（メチルチオ）フェニル  ホスホロチオエート、
ホキシム：  ２−（ジエトキシホスフィノトイルオキシイミノ）−２−フェニルアセトニトリル、
クロルピリホス：  Ｏ，Ｏ−ジエチル−Ｏ−（３，５，６−トリクロロ−２−ピリニル）ホスホロチオエート、
クロルピリホスメチル：  Ｏ，Ｏ−ジメチル  Ｏ−（３，５，６−トリクロロ−２−ピリジニル）ホスホロチオエート、
シアノホス：  Ｏ，Ｏ−ジメチル  Ｏ−（４  シアノフェニル）ホスホロチオエート、
ピラクロホス：  （Ｒ，Ｓ）［４−クロロフェニル）−ピラゾール−４−イル］−Ｏ−エチル−Ｓ−ｎ−プロピル  ホスホロチオエート、
アセフェート：  Ｏ，  Ｓ−ジメチル  アセチルホスホロアミドチオエート、
アザメチホス：  Ｓ−（６−クロロ−２，３−ジヒドロ−オキソ−１，３−オキサゾロ［４，５−ｂ］ピリジン−３−イルメチル  ホスホロチオエート、
マラチオン：  ジエチル  メルカプトスクシネートのＯ，Ｏ−ジメチル  ホスホロジチオエート  エステル、
テメホス：  （Ｏ，Ｏ’（チオジ−４−１−フェニレン）  Ｏ，Ｏ，Ｏ，Ｏ−テトラメチル  ホスホロジチオエート、
ジメトエート：  （（Ｏ，Ｏ−ジメチル  Ｓ−（ｎ−メチルカルバモイルエチル）ホスホロジチオエート、
ホルモチオン：  Ｓ［２−ホルミルメチルアミノ］−２−オキソエチル］−Ｏ，Ｏ−ジメチル  ホスホロジチオエート、
フェントエート：  Ｏ，Ｏ−ジメチル  Ｓ−（アルファ−エトキシカルボニルベンザル）−ホスホロジチオエート；
ヨードフェンホス：  Ｏ−（２，５−ジクロロ−４−ヨードフェニル）−Ｏ，Ｏ−ジメチル−ホスホロチオエート
成虫の蚊を防除する効果を有する殺虫剤、例えば、
１−（アルファ−（クロロ−アルファ−シクロプロピルベンジリデンアミノ−オキシ）−ｐ−トリル）−３−（２，６−ジフルオロベンゾイル）尿素、
ジフルベンズロン：  Ｎ−（（（３，５−ジクロロ−４−（１，１，２，２−テトラフロウロエトキシ）フェニルアミノ）カルボニル）２，６  ジフルオロ  ベンズアミド、
トリフルムロン：  ２−クロロ−Ｎ−（（（４−（トリフルオロメトキシ）フェニル）−アミノ−）カルボニル）ベンズアミド、  またはトリアジン、例えば、Ｎ−シクロプロピル−１，３，５−トリアジン−２，４，６−トリアミン。
【００４６】
忌避剤は、Ｎ，Ｎ−ジエチル−メタ−トルアミド（ＤＥＥＴ）、Ｎ，Ｎ−ジエチルフェニルアセトアミド（ＤＥＰＡ）、１−（３−シクロヘキサン−１−イル−カルボニル）−２−メチルピペリン、（２−ヒドロキシメチルシクロヘキシル）酢酸ラクトン、２−エチル−１，３−ヘキサンジオール、インダロン、メチルネオデカンアミド（ＭＮＤＡ）、昆虫制御のために使用されないピレスロイド、例えば、｛（＋／−）−３−アリル−２−メチル−４−オキソシクロペンテ−２−（＋）−エニル−（＋）−ｔｒａｎｓ−クリサンテメート（エスビオトリン）、リモネン、オイゲノール、（＋）−オイカマロル（１），（−）−１−エピ−オイカマロルのような植物抽出物またはユーカリプツスマクラータ（Ｅｕｃａｌｙｐｔｕｓ  ｍａｃｕｌａｔａ）、ハマゴウ（Ｖｉｔｅｘ  ｒｏｔｕｎｄｉｆｏｌｉａ）、シムボポガンマルチニ（Ｃｙｍｂｏｐｏｇａｎ  ｍａｒｔｉｎｉｉ）、シムボポガンシトラツス（Ｃｙｍｂｏｐｏｇａｎ  ｃｉｔｒａｔｕｓ）（レモングラス）、シモポガンナルトヅス（Ｃｙｍｏｐｏｇａｎ  ｎａｒｔｄｕｓ）（シトロネラソウ）のような植物からの粗植物抽出物またはそれに由来する忌避剤、ＩＲ３５３５（エチル  ブチルアセチルアミノプロピオネート）、イカリジン（１−ピペリジン−カルボン酸  ２−（２−ヒドロキシエチル）−１−メチルプロピルエステル）から選択されることが好ましい。
【００４７】
好適な殺菌剤は、例えば、
アゾール、例えば、ビテルタノール（Ｂｉｔｅｒｔａｎｏｌ）、ブロモコナゾール（Ｂｒｏｍｏｃｏｎａｚｏｌｅ）、シプロコナゾール（Ｃｙｐｒｏｃｏｎａｚｏｌｅ）、ジフェノコナゾール（Ｄｉｆｅｎｏｃｏｎａｚｏｌｅ）、ジニトロコナゾール（Ｄｉｎｉｔｒｏｃｏｎａｚｏｌｅ）、エポキシコナゾール（Ｅｐｏｘｉｃｏｎａｚｏｌｅ）、フェンブコナゾール（Ｆｅｎｂｕｃｏｎａｚｏｌｅ）、フルキコナゾール（Ｆｌｕｑｕｉｃｏｎａｚｏｌｅ）、フルシラゾール（Ｆｌｕｓｉｌａｚｏｌｅ）、フルトリアホール（Ｆｌｕｔｒｉａｆｏｌ）、ヘキサコナゾール（Ｈｅｘａｃｏｎａｚｏｌｅ）、イマザリル（Ｉｍａｚａｌｉｌ）、イプコナゾール（Ｉｐｃｏｎａｚｏｌｅ）、メトコナゾール（Ｍｅｔｃｏｎａｚｏｌｅ）、ミクロブタニル（Ｍｙｃｌｏｂｕｔａｎｉｌ）、ペンコナゾール（Ｐｅｎｃｏｎａｚｏｌｅ）、
プロピコナゾール（Ｐｒｏｐｉｃｏｎａｚｏｌｅ）、プロクロラズ（Ｐｒｏｃｈｌｏｒａｚ）、プロチオコナゾール（Ｐｒｏｔｈｉｏｃｏｎａｚｏｌｅ）、シメコナゾール（Ｓｉｍｅｃｏｎａｚｏｌｅ）、テブコナゾール  テトラ−コナゾール（Ｔｅｂｕｃｏｎａｚｏｌｅ  Ｔｅｔｒａ−ｃｏｎａｚｏｌ）、トリアジメホン（Ｔｒｉａｄｉｍｅｆｏｎ）、トリアジメノール（Ｔｒｉａｄｉｍｅｎｏｌ）、トリフルミゾール（Ｔｒｉｆｌｕｍｉｚｏｌ）、トリチコナゾール（Ｔｒｉｔｉｃｏｎａｚｏｌ）；
ストロビルリン（Ｓｔｒｏｂｉｌｕｒｉｎｅｓ）、例えば、アゾキシストロビン（Ａｚｏｘｙｓｔｒｏｂｉｎ）、ジモキシストロビン（Ｄｉｍｏｘｙｓｔｒｏｂｉｎ）、フルオキサストロビン（Ｆｌｕｏｘａｓｔｒｏｂｉｎ）、クレソキシム−メチル（Ｋｒｅｓｏｘｉｍ−ｍｅｔｈｙｌ）、メトミノストロビン（Ｍｅｔｏｍｉｎｏｓｔｒｏｂｉｎ）、オリサストロビン（Ｏｒｙｓａｓｔｒｏｂｉｎ）、ピコキシストロビン（Ｐｉｃｏｘｙｓｔｒｏｂｉｎ）、ピラクロストロビン（Ｐｙｒａｃｌｏｓｔｒｏｂｉｎ）およびトリフロキシストロビン（Ｔｒｉｆｌｏｘｙｓｔｒｏｂｉｎ）；
アシルアラニン（Ａｃｙｌａｌａｎｉｎｅｓ）、例えば、ベナラキシル（Ｂｅｎａｌａｘｙｌ）、メタラキシル（Ｍｅｔａｌａｘｙｌ）、メフェノキサム（Ｍｅｆｅｎｏｘａｍ）、オフレース（Ｏｆｕｒａｃｅ）、オキサジキシル（Ｏｘａｄｉｘｙｌ）；
アミン誘導体、例えば、アルジモルフ（Ａｌｄｉｍｏｒｐｈ）、ドジン（Ｄｏｄｉｎｅ）、ドデモルフ（Ｄｏｄｅｍｏｒｐｈ）、フェンプロピモルフ（Ｆｅｎｐｒｏｐｉｍｏｒｐｈ）、フェンプロピジン（Ｆｅｎｐｒｏｐｉｄｉｎ）、グアザチン（Ｇｕａｚａｔｉｎｅ）、イミノクタジン（Ｉｍｉｎｏｃｔａｄｉｎｅ）、スピロキサミン（Ｓｐｉｒｏｘａｍｉｎ）、トリデモルフ（Ｔｒｉｄｅｍｏｒｐｈ）；
アニリノピリミジン、例えば、ピリメタニル（Ｐｙｒｉｍｅｔｈａｎｉｌ）、メパニピリム（Ｍｅｐａｎｉｐｙｒｉｍ）、シプロジニル（Ｃｙｐｒｏｄｉｎｉｌ）；
ジカルボキシイミド、例えば、イプロジオン（Ｉｐｒｏｄｉｏｎ）、ミクロゾリン（Ｍｙｃｌｏｚｏｌｉｎ）、プロシミドン（Ｐｒｏｃｙｍｉｄｏｎ）、ビンクロゾリン（Ｖｉｎｃｌｏｚｏｌｉｎ）；
桂皮酸アミドおよび誘導体、例えば、ジメトモルフ（Ｄｉｍｅｔｈｏｍｏｒｐｈ）、フルメトバー（Ｆｌｕｍｅｔｏｖｅｒ）、フルモルフ（Ｆｌｕｍｏｒｐｈ）；
シクロヘキシミド（Ｃｙｃｌｏｈｅｘｉｍｉｄｅ）、グリセオフルビン（Ｇｒｉｓｅｏｆｕｌｖｉｎ）、カスガマイシン（Ｋａｓｕｇａｍｙｃｉｎ）、ナタマイシン（Ｎａｔａｍｙｃｉｎ）、ポリオキシン（Ｐｏｌｙｏｘｉｎ）、ストレプトマイシン（Ｓｔｒｅｐｔｏｍｙｃｉｎｅ）のような抗生物質；
ジチオカルバメート、例えば、フェルバム（Ｆｅｒｂａｍ）、ナバム（Ｎａｂａｍ）、マネブ（Ｍａｎｅｂ）、マンコゼブ（Ｍａｎｃｏｚｅｂ）、メタム（Ｍｅｔａｍ）、メチラム（Ｍｅｔｉｒａｍ）、プロピネブ（Ｐｒｏｐｉｎｅｂ）、ポリカルバメート（Ｐｏｌｙｃａｒｂａｍａｔ），チラム（Ｔｈｉｒａｍ）、ジラム（Ｚｉｒａｍ）、ジネブ（Ｚｉｎｅｂ）；
複素環式化合物、例えば、アニラジン（Ａｎｉｌａｚｉｎ）、ベノミル（Ｂｅｎｏｍｙｌ）、ボスカリド（Ｂｏｓｃａｌｉｄ）、カルベンダジム（Ｃａｒｂｅｎｄａｚｉｍ）、カルボキシン（Ｃａｒｂｏｘｉｎ）、オキシカルボキシン（Ｏｘｙｃａｒｂｏｘｉｎ）、シアゾファミド（Ｃｙａｚｏｆａｍｉｄ）、ダゾメット（Ｄａｚｏｍｅｔ）、ジチアノン（Ｄｉｔｈｉａｎｏｎ）、ファモキサドン（Ｆａｍｏｘａｄｏｎ）、フェナミドン（Ｆｅｎａｍｉｄｏｎ）、フェナリモル（Ｆｅｎａｒｉｍｏｌ）、フベリダゾール（Ｆｕｂｅｒｉｄａｚｏｌ）、フルトラニル（Ｆｌｕｔｏｌａｎｉｌ）、フラメトピル（Ｆｕｒａｍｅｔｐｙｒ）、イソプロチオラン（Ｉｓｏｐｒｏｔｈｉｏｌａｎ）、メプロニル（Ｍｅｐｒｏｎｉｌ）、ヌアリモル（Ｎｕａｒｉｍｏｌ）、ピコベンズアミド（Ｐｉｃｏｂｅｎｚａｍｉｄ）、プロベナゾール（Ｐｒｏｂｅｎａｚｏｌ）、プロキナジド（Ｐｒｏｑｕｉｎａｚｉｄ）、ピリフェノックス（Ｐｙｒｉｆｅｎｏｘ）、ピロキロン（Ｐｙｒｏｑｕｉｌｏｎ）、キノキシフェン（Ｑｕｉｎｏｘｙｆｅｎ）、シルチオファム（Ｓｉｌｔｈｉｏｆａｍ）、チアベンダゾール（Ｔｈｉａｂｅｎｄａｚｏｌ）、チフルザミド（Ｔｈｉｆｌｕｚａｍｉｄ）、チオファネート−メチル（Ｔｈｉｏｐｈａｎａｔ−ｍｅｔｈｙｌ）、チアジニル（Ｔｉａｄｉｎｉｌ）、トリシクラゾール（Ｔｒｉｃｙｃｌａｚｏｌ）、トリホリン（Ｔｒｉｆｏｒｉｎｅ）、Ｍ  アノルガニカ（Ｍ  Ａｎｏｒｇａｎｉｋａ）；
ニトロフェニル誘導体、例えば、ビナパクリル（Ｂｉｎａｐａｃｒｙｌ）、ジノカップ（Ｄｉｎｏｃａｐ）、ジノブトン（Ｄｉｎｏｂｕｔｏｎ）、ニトロフタル−イソプロピル（Ｎｉｔｒｏｐｈｔｈａｌ−ｉｓｏｐｒｏｐｙｌ）；
フェニルピロール、例えば、フェンピクロニル（Ｆｅｎｐｉｃｌｏｎｉｌ）、フルジオキソニル（Ｆｌｕｄｉｏｘｏｎｉｌ）；
スルフェン酸誘導体、例えば、キャプタホール（Ｃａｐｔａｆｏｌ）、キャプタン（Ｃａｐｔａｎ）、ジクロフルアニド（Ｄｉｃｈｌｏｆｌｕａｎｉｄ）、ホルペット（Ｆｏｌｐｅｔ）、トリルフルアニド（Ｔｏｌｙｌｆｌｕａｎｉｄ）；
その他殺菌剤、例えば、アシベンゾラール−Ｓ−メチル（Ａｃｉｂｅｎｚｏｌａｒ−Ｓ−ｍｅｔｈｙｌ）、ベンチアバリカルブ（Ｂｅｎｔｈｉａｖａｌｉｃａｒｂ）、カルプロパミド（Ｃａｒｐｒｏｐａｍｉｄ）、クロロタロニル（Ｃｈｌｏｒｏｔｈａｌｏｎｉｌ）、シフルフェナミド（Ｃｙｆｌｕｆｅｎａｍｉｄ）、シモキサニル（Ｃｙｍｏｘａｎｉｌ）、ダゾメット（Ｄａｚｏｍｅｔ）、ジクロメジン（Ｄｉｃｌｏｍｅｚｉｎ）、ジクロシメット（Ｄｉｃｌｏｃｙｍｅｔ）、ジクロフルアニド（Ｄｉｃｌｏｆｌｕａｎｉｄ）、ジエトフェンカルブ（Ｄｉｅｔｈｏｆｅｎｃａｒｂ）、エジフェンホス（Ｅｄｉｆｅｎｐｈｏｓ）、エタボキサム（Ｅｔｈａｂｏｘａｍ）、フェンヘキサミド（Ｆｅｎｈｅｘａｍｉｄ）、フェンチン−アセテート（Ｆｅｎｔｉｎ−Ａｃｅｔａｔ）、フェノキサニル（Ｆｅｎｏｘａｎｉｌ）、フェリムゾン（Ｆｅｒｉｍｚｏｎｅ）、フルアジナム（Ｆｌｕａｚｉｎａｍ）、ホゼチル（Ｆｏｓｅｔｙｌ）、ホゼチル−アルミニウム（Ｆｏｓｅｔｙｌ−Ａｌｕｍｉｎｉｕｍ）、リン酸（Ｐｈｏｓｐｈｏｒｉｃ  Ａｃｉｄ）、イプロバリカルブ（Ｉｐｒｏｖａｌｉｃａｒｂ）、ヘキサクロロベンゼン（Ｈｅｘａｃｈｌｏｒｂｅｎｚｅｎｅ）、メトラフェノン（Ｍｅｔｒａｆｅｎｏｎ）、ペンシクロン（Ｐｅｎｃｙｃｕｒｏｎ）、プロパモカルブ（Ｐｒｏｐａｍｏｃａｒｂ）、フタリド（Ｐｈｔｈａｌｉｄ）、トロクロホス−メチル（Ｔｏｌｏｃｌｏｆｏｓ−  ｍｅｔｈｙｌ）、キントゼン（Ｑｕｉｎｔｏｚｅｎｅ）、ゾキサミド（Ｚｏｘａｍｉｄ）。
【００４８】
本発明の有害生物防除剤組成物の好適な殺虫剤および／または忌避剤は、１または混合物であり得る。有害生物防除剤の好適な混合物は、同様の拡散／移動特性を有する殺虫剤および／または忌避剤の混合物である。この殺虫剤および／または忌避剤の群は、合成ピレスロイド、例えば、アルファシペルメトリン、シフルトリン、デルタメトリン、エトフェンプロックスおよびペルメトリン、他のピレスロイド、例えばビフェントリン、並びにピレスロイドではない、例えばクロルフェナピルを含み得る。
【００４９】
仕上げ
本発明による用語「仕上げ」は、殺虫剤混合物によるネットのあらゆる種類の処理を意味し、この処理を用いることで、ネットの表面または中に混合物の均一な分布が達成される。これに関連して、均一は、特定の殺虫剤の濃度が領域におけるいずれの点でも本質的に同じであることを意味する。
【００５０】
１つの実施形態では、仕上げは、ネットまたは、好適には、ネットを製造する単一繊維（モノフィラメント）もしくは多重繊維（マルチフィラメント）もしくは繊維（ファイバー）を、結合剤と一緒に殺虫剤混合物により塗布することにより実施される（変形Ａ）。
【００５１】
さらなる実施形態では、仕上げは、殺虫剤混合物をポリマーに混合し、ポリマーおよび殺虫剤混合物を共押出することにより実施され、単一繊維を得て、この繊維を加工処理して、本発明によるネットを得る（変形Ｂ）。
【００５２】
殺虫剤混合物を含む結合剤により塗布することによる仕上げ（変形Ａ）
結合剤の機能は殺虫剤混合物を、ネットを製造する単一繊維もしくは多重繊維もしくは繊維上、または完成したネット上に（「塗布工程の最後」）固定することである（以下、ネットに関して記載される）。これが達成された結果、活性化合物は浸出できなくなるか、または少なくとも非常にゆっくりとなる。
【００５３】
高分子結合剤は原則として、結合剤が殺虫剤混合物を特に繊維製品に固定することができることを条件として、どんな結合剤の形態をもとり得る。それ故に、好適な結合剤は、繊維製品の仕上げおよびその塗布の分野において既知のものである。もちろん、複数の異なる結合剤の混合物を使用することもできる。
【００５４】
実例は、（メタ）アクリレート、またはポリウレタン、ポリイソシアヌレートまたはワックス、例えばポリエチレンワックスを含むホモ−またはコポリマーを含む。
【００５５】
例えば、結合剤は、エチレン性不飽和モノマー、好適には（メタ）アクリレート、特に（メタ）アクリル酸のＣ１〜Ｃ１２エステル、架橋基を有する（メタ）アクリレート、（メタ）アクリル酸、マレイン酸もしくはマレイン酸エステル、アクリロニトリル、スチレン、ビニルアセテート、ビニルアルコール、エチレン、プロピレン、アリルアルコールまたはビニルクロライドからなる群より選択される少なくとも１のモノマーを重合することにより得ることができる結合剤であり得る。
【００５６】
本発明の好適な実施形態では、結合剤はモノマーとして５０〜９５重量％の少なくとも１の一般式Ｈ２Ｃ＝ＣＨＲ１−ＣＯＯＲ２（式中、Ｒ１はＨまたはメチルであり、Ｒ２は１〜１２の炭素原子、好適には２〜１０の炭素原子を有する脂肪族で直鎖状または分岐鎖状の炭化水素基である）の（メタ）アクリレート（Ａ）を含むエチレン性不飽和モノマーのコポリマーである。Ｒ１は好適にはＨである。好適な基Ｒ２の例は、特にメチル、エチル、ｎ-ブチルまたは２-エチルヘキシル基を含み、エチル、ｎ-ブチルまたは２-エチルヘキシル基が好ましい。さらに、コポリマーは１〜２０重量％の（メタ）アクリル酸または追加の官能基を有する（メタ）アクリル酸誘導体（Ｂ）を含む。これは特に（メタ）アクリル酸エステルおよび/または（メタ）アクリルアミドの形態をとり得る。官能基は結合剤をネットに結合するのに役立ち、更に架橋するために使用することができる。例えば、ω-ヒドロキシアルキル（メタ）アクリル酸エステル、エポキシ基を有する（メタ）アクリル酸エステル、例えばグリシジルエステルなど、（メタ）アクリルアミドまたはそれらの誘導体、例えば式Ｈ２Ｃ＝ＣＨ（ＣＨ３）−ＣＯ−ＮＨ−ＣＨ２−ＯＨの（メタ）アクリル酸メチロールアミドなどの形態をとり得る。同時に、ＡおよびＢとは異なり、エチレン性不飽和、好適にはモノエチレン性不飽和の追加のモノマー（Ｃ）、例えばアクリロニトリルまたはスチレンを用いることも可能である。一般に、追加のモノマーの量は０〜３０重量％である。特に好適には、７０〜９０重量％の式Ｈ２Ｃ＝ＣＨ２−ＣＯＯＲ２（式中、Ｒ２は４〜８のＣ原子を含み、ｎ-ブチルおよび/または２-エチルヘキシルが好ましい）のアクリル酸エステル、更に１０〜２０重量％のアクリロニトリル、１〜１０重量％の（メタ）アクリル酸または官能基を有する（メタ）アクリル酸誘導体、特に（メタ）アクリル酸メチロールアミドを含む結合剤である。
【００５７】
上記の好適な結合剤は、好適には当業者により知られる方法、好適には乳化重合により製造することができる。アクリレート結合剤が好ましく、特にコポリマーは、構成成分Ｂ1〜Ｂ４および場合によりＢ５の乳化重合により入手することができる。
【００５８】
構成成分Ｂ１としては、１またはそれ以上の、好適には１、２または３の、特に好適には１の式（Ｉ）の（メタ）アクリレートを使用する。
【化１】
2014520514.tif 000003
【００５９】
上の式の記号は次の意味を示す。
【００６０】
Ｒ１はＨまたはＣＨ３であり、Ｈが好ましく、
Ｒ２はＣ１−Ｃ１０−アルキルであり、メチル、エチル、ｎ−プロピル、ｉ−プロピル、ｎ−ブチル、ｉ−ブチル、ｓｅｃ−ブチル、ｔ−ブチル、ｎ−ペンチル、ｓｅｃ−ペンチル、ネオペンチル、１，２−ジメチルプロピル、ｉ−アミル、ｎ−ヘキシル、ｉ−ヘキシル、ｎ−ヘプチル、ｎ−オクチル、２−エチルヘキシル、ｎ−ノニルまたはｎ−デシルが好ましく、メチル、エチル、ｎ−ブチルまたは２−エチルヘキシルが特に好ましく、エチル、ｎ−ブチルまたは２−エチルヘキシルが極めて特に好ましい。
【００６１】
構成成分Ｂ１として、メチルアクリレート、エチルアクリレート、ｎ−ブチルアクリレート、２−エチルヘキシルアクリレートおよびメチルメタクリレートが好ましい。さらには、ブチルアクリレート単独またはメチルメタクリレートまたはエチルアクリレートとの混合物が好ましい。特にｎ−ブチルアクリレートが好ましい。
【００６２】
構成成分Ｂ２として用いる物質は、Ｎ−メチロールアクリルアミド、Ｎ−メチロールメタクリルアミド、Ｎ，Ｎ’−ビス−メチロールマレイン酸ジアミド、およびＮ，Ｎ’−ビスメチロールフマル酸ジアミドからなる群の少なくとも１のモノマーである。
【００６３】
Ｎ−メチロールアクリルアミドおよびＮ−メチロールメタクリルアミド、特にＮ−メチロールメタクリルアミドが好ましい。
【００６４】
構成成分Ｂ３として用いる物質は、１またはそれ以上のモノマーであり、アクリル酸、メタクリル酸、ビニルスルホン酸、マレイン酸、およびフマル酸からなる群より選択される１または２のモノマーが好ましい。アクリル酸およびメタクリル酸が好ましく、アクリル酸が特に好ましい。
【００６５】
構成成分Ｂ４として用いる物質は、１またはそれ以上のモノマーであり、群Ｂ４Ａおよび／またはＢ４Ｂから選択される１または２のモノマーが好ましい。
【００６６】
群Ｂ４Ａのモノマーは式（ＩＩ）および／または（ＩＩＩ）のモノマーで、並びに、例えば欧州特許出願公開第０３４６７３４号に記載された（メタ）アクリル酸修飾ベンゾフェノンである。
【化２】
2014520514.tif 000004
【００６７】
式中、記号は次の意味を示す。
【００６８】
Ｒ３はＨまたはＣＨ３であり、Ｈが好ましく、
ＸはＺ、−ＣＯ−ＮＨ−ＣＨ２−ＮＨ−ＣＯ−ＣＲ３＝ＣＨ２またはＣＯＯ−ＣＨ２−ＣＯ−ＣＨ２−ＣＯＯＲ４であり、Ｚが好ましく、
ＺはＣＯＮＨ２、ＣＯＮＨ−ＣＨ２−ＯＲ５、ＣＯＯ−Ｙ−ＯＨ、ＣＯＯ−グリシジル、ＣＨＯ、ＣＯ−Ｙ−ＯＨと等しく、ＣＯＮＨ２が好ましく、
ＹはＣ１−Ｃ８−アルキレンであり、Ｃ２−Ｃ６−アルキレンが好ましく、
Ｒ４、Ｒ５は同じであるかまたは異なり、直鎖状または分岐鎖状Ｃ１−Ｃ１０−アルキル基である。
【００６９】
群Ｂ４Ａのモノマーとしては、アセトアセチルアクリレート、アセトアセチルメタクリレート、アクリルアミド、メタクリルアミド、マレイン酸ジアミド、Ｎ−メトキシメチルアクリルアミド、Ｎ−ｎ−ブトキシメチルアクリルアミド、３−ヒドロキシプロピルアクリレート、３−ヒドロキシプロピルメタクリレート、４−ヒドロキシブチルアクリレート、４−ヒドロキシブチルメタクリレート、６−ヒドロキシヘキシルアクリレート、６−ヒドロキシヘキシルメタクリレート、２−ヒドロキシ−３−クロロプロピルアクリレート、３−ヒドロキシ−３−クロロプロピルメタクリレート、グリシジルアクリレートおよびグリシジルメタクリレートが好ましい。特にアクリルアミド、３−ヒドロキシプロピルメタクリレート、ブタンジオールモノアクリレートアセチルアセテート、グリシジルメタクリレート、および４−アクリルオキシベンゾフェノンが好ましい。
【００７０】
群Ｂ４Ｂからモノマーとして用いる物質は、アリルアクリレート、メタリルアクリレート、アリルメタクリレート、メタリルメタクリレート、ジアリルマレエート、ジメチルアリルマレエート、アリルフマレート、メタリルフマレート、ジアリルフタレート、ジメチルアリルフタレート、ジアリルテレフタレート、ジメタリルテレフタレート、ｐ−ジビニルベンゼン、ブタン−１，４−ジオールジアリルエーテルおよびブタン−１，４−ジオールジメチルアリルエーテルである。
【００７１】
群Ｂ４のモノマーは、群Ｂ４Ａのモノマーが好ましく、この群からの１または２のモノマーの使用が好ましい。
【００７２】
群Ｂ５のモノマーは、群Ｂ５Ａのモノマー、更には群Ｂ５Ｂのビニル芳香族モノマーが好ましい。
【００７３】
構成成分Ｂ５Ａとしては、アクリロニトリルまたはメタクリロニトリルを用いることが好ましく、アクリロニトリルが好ましい。
【００７４】
構成成分Ｂ５Ｂとしては、スチレンおよびα−メチルスチレンが好ましく、特にスチレンが好ましい。
【００７５】
好適な実施形態では、アクリロニトリルを構成成分Ｂ５のモノマーとしてアクリレート結合剤の製造に用いる。
【００７６】
アクリレート結合剤（Ｂ）は、下記ｂ１）〜ｂ５）の乳化重合により入手できる（重量％のデータはそれぞれの場合においてＢの全量に基づいている）。
【００７７】
ｂ１）  ２０〜９３重量％、好適には５０〜９０重量％、特に好適には６０〜９０重量％、特には７５〜８５重量％の構成成分Ｂ１；
ｂ２）  １〜５重量％、好適には１．５〜３重量％の構成成分Ｂ２；
ｂ３）  ０．２〜５重量％、好適には０．５〜４重量％、特に好適には０．７５〜４重量％、特には１〜３重量％の構成成分Ｂ３；
ｂ４）  ０〜７重量％、好適には０〜５重量％、特に好適には０〜４．５重量％、特には０または０．２〜４．５重量％の構成成分Ｂ４および
ｂ５）  ０〜４０重量％、好適には５〜４０重量％、特に好適には５〜３０重量％、特には０または５〜２６重量％の構成成分Ｂ５。
【００７８】
好適な方法は当業者により知られており、例えば国際公開第２００５／０６４０７２号（２０頁２０行目〜２３頁１５行目）に記載されている。
【００７９】
得られる非架橋乳化ポリマーの重量平均分子量は一般に（ＧＰＣ（ゲル透過クロマトグラフィー）により決定して）４００００〜２５００００である。分子量は一般に連鎖停止剤、例えば有機硫黄化合物を通常の量使用することにより調節される。
【００８０】
一般にアクリレート結合剤は水性分散液の形態で得ることが特に好ましく、普通は本発明による殺虫製剤の形態で使用する。
【００８１】
好適なアクリレート結合剤は当業者に知られている通常の添加剤、例えば、塗膜形成剤および／または可塑剤、例えばアジペート、フタレート、ブチルジグリコール、ジカルボン酸と直鎖状または分岐鎖状アルコールを反応することにより得ることができるジエステルの混合物を更に含むことができる。好適なジカルボン酸およびアルコールは当業者により知られている。
【００８２】
上記結合剤とは別に、好適な他のものは、シリコーンオイルおよびシリコーンワックス、ポリシロキサン、フッ化炭化水素基を有する樹脂、メラミン／ホルムアルデヒド縮合物、メチロールウレア誘導体並びに硬化性ポリエステルがあり、シリコーンオイルが好ましい。
【００８３】
一般に好適なシリコーンオイルおよびシリコーンワックスは直鎖状または環状ポリオルガノシロキサンの形態をとり、ポリアルキル−および／またはポリフェニルシロキサンが好ましく、アルキルは例えばメチル、エチル、プロピルまたはオクチルがあり、メチルが好ましい。特に、ポリジメチルシロキサン、ポリ（メチルフェニルシロキサン）およびそれらのメチル基の一部をより長鎖のアルキル基に置換した対応する化合物が好ましい。分子量は１０００〜１５００００が好ましい。場合により、シリコーンオイルおよび特にシリコーンワックスは、粘度調整剤、例えばステアリン酸リチウムのような金属石鹸、高分散性シリカ、ＰＴＦＥ、窒化ホウ素またはウレアを含み得ることで、ペースト状または脂肪状の粘度を得る。
【００８４】
本発明によるネット、特に網の製造には、結合剤は溶媒中での製剤の形態で使用しても良く、水性製剤として用いるのが好ましい。しかしながら、本発明には溶媒のない製剤の使用も含む。
【００８５】
好適な実施形態では、使用される水性製剤は５５〜９９重量％の水、好適には８５〜９８重量％の水および１〜４５重量％、好適には２〜１５重量％の固形分を含む（与えられた重量％値はそれぞれの場合において製剤中の全構成成分の全量に基づく）。正確な濃度はまた、繊維基材の吸着性にも依存する。
【００８６】
固形分は少なくとも１の結合剤、殺虫剤混合物、場合により少なくとも１の架橋剤および場合により追加の構成成分の形態をとる。
【００８７】
少なくとも１の水分散性架橋剤を用いることが好ましい。特に、好適なアクリレート結合剤の場合は、これは遊離のイソシアネート基を有する架橋剤の形態をとる事が好ましい場合がある。これらは、遊離のイソシアネート基を有するイソシアヌレート、好適には４〜１２の炭素原子を有する脂肪族、脂環式または芳香族ジイソシアネート由来のイソシアヌレートの形態をとる事が好ましい場合がある。例には、１，６−ヘキサメチレンジイソシアネート、１，１２−ドデカンジイソシアネート、２，２’−および２，４’−ジシクロヘキシルメタンジイソシアネートまたは２，４−トリルジイソシアネートを含む。１，６−ヘキサメチレンジイソシアネートに基づくイソシアヌレートが好ましい。特にポリエチレンオキシド基のような追加の親水性基を有するイソシアヌレートが特に好ましい。このようなイソシアヌレートの製造は当業者により知られている。これらは例えばエチレンカーボネートまたはプロピレンカーボネートのような極性非プロトン性溶媒中の溶液として使用するのが好ましい。イソシアネート基を有する好適な架橋剤に関する更なる詳細は、国際公開第２００８／０５２９１３号の３４頁６行目〜３５頁３行目に記載されている。特に１，６−ヘキサメチレンジイソシアネート（ＨＭＤＩ）に基づく、追加のポリエチレンオキシド基を有するイソシアヌレートであって、プロピレンカーボネート中に溶解した該イソシアヌレート（プロピレンカーボネート中に７０重量％のＨＭＤＩ）を用いるのが好ましい。遊離のイソシアネート基は、溶液に基づき約１１〜１２重量％である。架橋剤は、製剤の全固形分量に基づき１〜１０重量％の量を用いることが好ましい。イソシアヌレートに基づく架橋剤は、特に上記コポリマーを架橋するのに適している。
【００８８】
製剤は典型的な添加剤および助剤、ＵＶ安定剤並びに着色剤を更に含み得る。これらの添加剤の例は、国際公開第２００８／０５２９１３号の３５頁１７行目〜３７頁５行目に記載されている。
【００８９】
架橋剤および増粘剤は、湿らす事が難しいために不均一になってしまう可能性がある、例えばポリオレフィン繊維のようなネットの処理溶液による均一塗布を可能にするために使用され得る。この目的のためには、水混和性溶媒を使用することもできるが、環境に悪影響を与えるために好ましくない。当業者は慣習的に使用される助剤およびその濃度について熟知している。
【００９０】
製剤は、抗酸化剤、過酸化物捕捉剤、ＵＶ吸収剤および光安定剤を含むことが好ましい場合がある。これは、野外や温室中で増加するＵＶ照射にさらされるネットの場合に特に推奨される。上記添加剤は放射線による分解から基材となる繊維だけでなく、活性成分も保護する。
【００９１】
好適なＵＶ吸収剤は、例えば国際公開第０２／４６５０３号または国際公開第２００７／０７７１０１号に記載されている。第一にＵＶ吸収剤は仕上げのために製剤中に成分として使用しても良く、第二に、それらは、例えばポリオレフィンおよびポリエステルの場合のように、繊維を製造する間のような早期に組み込んでも良い。また、異なる保護効果を有する複数の安定剤の混合物を使用することも有利な可能性がある。一般に、未処理のネットの重量に基づき、０．２〜５重量％、好適には０．２５〜４重量％、極めて特に好適には０．５〜３．５重量％の安定剤が使用される。製剤中の量は当業者により適宜調整される。
【００９２】
殺虫剤混合物を単一繊維中に組み込むことによる変形Ｂによる仕上げ
本発明の更なる実施形態では、仕上げは、本発明による混合物を、例えば本発明によるネットを構成するまたはネットに含まれる繊維を得るために処理される単一繊維中に直接組み込むことにより実施される。この変形におけるネットは網が好ましい。
【００９３】
本発明による混合物を組み込むことができる単一繊維にとって好適なポリマー材料は、熱可塑性ポリマーであり、オレフィン性不飽和モノマーに基づく熱可塑性ポリマー、例えば、ポリオレフィン、ポリビニルクロライド、ポリビニルアルコール、ポリ（メタ）アクリレート、他にも、ポリエステルおよびポリカーボネート、並びに場合により上記ポリマーの互いの、または熱可塑性エラストマーとの混合物が好ましい。特に、ポリエチレン、例えば低密度ポリエチレン（ＬＤＰＥ）、例えば直鎖状低密度ポリエチレン（ＬＬＤＰＥ）、超低密度ポリエチレン（ＵＬＤＰＥ）、中密度ポリエチレン（ＭＤＰＥ）および高密度ポリエチレン（ＨＤＰＥ）、エチレンと少なくとも３つの炭素原子を有するアルファ−オレフィンのコポリマーのようなポリエチレン樹脂、ポリプロピレンホモポリマー、プロピレンと４およびそれ以上の炭素原子を有するアルファ−オレフィンのランダムコポリマーおよびブロックコポリマー、エチレンと不飽和カルボン酸化合物とのコポリマー、例えば、ポリ（エチレン／メチルメタクリレート）、ポリ（エチレン／ビニルアセテート）またはポリ（エチレン／アクリル酸）、並びにこのようなポリマーとコポリマーの混合物が好ましい。熱可塑性エラストマーの例には、オレフィン−およびスチレンベースの熱可塑性エラストマーを含む。主な構成成分としてエチレンまたはプロピレンを有するコポリマーが好ましく、他にもポリスチレンおよびポリイソプレンおよび／またはポリブタジエンブロックを含むブロックコポリマー、並びにこのようなコポリマーの水素化誘導体がある。
【００９４】
熱可塑性ポリマーマトリックス中に本発明による殺虫剤混合物を含む単一繊維の製造のために、殺虫剤混合物およびポリマーは、溶融混練により混合され得る。また、始めに、殺虫剤混合物およびポリマーの適量を溶融混練することによりマスターバッチを製造することも可能であり、その後マスターバッチを追加量のポリマーと溶融混練により目的の濃度に希釈する。マスターバッチ法を使用する場合は、マスターバッチおよびその後の希釈に異なるポリマーを使用することも可能であり、例えばマスターバッチにＬＬＤＰＥを、マスターバッチの希釈にＨＤＰＥを使用することも可能である。
【００９５】
本発明によるポリマーおよび殺虫剤混合物の他に、ポリマー組成物は、場合により、好適には、タルク、カオリン、ローム、微細粉末状ＳｉＯ２、カーボンおよびデキストリンの群からの粉末状担体物質を含む。粉末状担体物質は、存在するのであれば、０．０１〜１０重量％が好ましい。粉末状担体物質は殺虫剤混合物およびポリマーと溶融混練により混合することができるが、始めに殺虫剤混合物および粉末状物質を混合し、その後この混合物とポリマーを、例えば溶融混練により混合することが好ましい。特に粉末状物質および殺虫剤混合物の混合物をマスターバッチを製造するのに用いることが好ましい。
【００９６】
ポリマー、殺虫剤混合物および場合により粉末状担体の他に、ポリマー組成物は場合により顔料、抗酸化剤、潤滑剤などのような熱可塑性成形材料に対する通例の添加物を含む。
【００９７】
本発明のこれらの実施形態によるフィラメントを製造するために、混合物を、例えばポリマー、殺虫剤混合物および、場合により追加の添加剤の溶融混練により、好適には高い温度で製造し、その混合物を押出し、押出物をペレット状になるように加工処理する。このようなペレットは押出法による溶融紡糸により、延伸することができ、本発明によるネットを例えばラッセル法により織ることのできるフィラメントが得られる。
【００９８】
本発明のこの実施形態のためのネットの材料およびその製造の詳細は例えば国際公開第２００８／００４７１１号に記載されている。
【００９９】
ネット（網）
好適なネットの例は繊維製品、非繊維プラスチック製品、紙、革、合成皮革、フィルムおよび他の、好適には柔軟性に富んだ製品である。
【０１００】
使用するネットは繊維製品の形態をとることが好ましい。これらは天然繊維または合成繊維のネットの形態をとることができる。もちろん、これらはまた、２またはそれ以上の異なる繊維の混合物の形態をとることができる。天然繊維の例には、綿繊維、ジュート繊維または麻繊維を含む。これらは、好適なポリマー製の合成繊維の形態をとることが好ましい。例にはポリアミド、ポリエステル、ポリアクリロニトリルまたはポリオレフィンを含む。好適には、それらは、ポリアミド、ポリオレフィンおよびポリエステル、特に好適には、ポリオレフィン、特にはポリプロピレンまたはポリエチレン、およびポリエステルの形態をとる。極めて特に好適にはポリエステル繊維であり、特にポリエチレンテレフタレート（ＰＥＴ）である。
【０１０１】
繊維は単一繊維、オリゴ繊維または多重繊維の形態をとっても良く、滑らかであって、テキスチャード加工していても良い。
【０１０２】
ポリプロピレンおよびポリエチレンは、ポリプロピレンまたはポリエチレンホモポリマーの形態をとり得る。しかしながら、それらはまた、エチレンまたはプロピレンの他に、少量の他のコモノマーを含むコポリマーの形態をもとり得る。好適なコモノマーは、特に、他のオレフィン、例えば、エチレンまたはプロピレンおよびブテ−１−エン、ブテ−２−エン、イソブテン、ペンテ−１−エン、ヘキセ−１−エン、ヘプテ−１−エン、オクテ−１−エン、スチレンまたはα−メチルスチレン、ジエンおよび／またはポリエンの形態をとり得る。一般に、ポリエチレンまたはポリプロピレン中のコモノマーは、２０重量％以下であり、１０重量％以下が好ましい。コモノマーの種類および量は目的とする繊維特性に従い当業者により選択される。
【０１０３】
繊維製造にとって特に好適である製品は、比較的高分子量の粘性のある製品であり、それは、慣例的に（ＩＳＯ  １１３３に従い決定される）メルトフローインデックスにより評価される。それらは、０．１〜６０ｇ／１０分のメルトフローインデックスＭＦＲ（２３０℃、２．１６ｋｇ）を有する少なくとも１のポリプロピレンまたはポリエチレンの形態をとることが好ましい場合がある。それらは、１〜５０ｇ／１０分の、特に好適には１０〜４５ｇ／１０分の、例えば３０〜４０ｇ／１０分のメルトフローインデックスＭＦＲ（２３０℃、２．１６ｋｇ）を有するポリプロピレンの形態をとることが好ましい。ポリプロピレンのこのような種類は、繊維の製造に特に適している。もちろん、複数の異なる種類のポリプロピレンの混合物もまた使用され得る。
【０１０４】
ネットの種類により、繊維布には０．０５〜０．６ｍｍの太さがあり、０．１ｍｍ〜０．４ｍｍが好ましく、０．１２〜０．３５ｍｍが特に好ましく、０．２〜０．３ｍｍが極めて特に好ましい。
【０１０５】
ネットは、偶数個の角があるメッシュパターンを有することが好ましい。これに関連して、ネットはある１種類のメッシュのみ、例えば四角形のメッシュのみからなるか、もしくは六角形のメッシュのみからなるのが好ましい場合があり、または、それらはまた、２またはそれ以上の種類の異なるメッシュ、例えば八角形と四角形のメッシュの組み合わせを含み得る。
【０１０６】
これに関連して、ネットのメッシュは好適には実質上同じ種類であるべきであり、すなわち、ネットは実際にはメッシュの形状やサイズの点で小さな偏差を示し得るが、その値は平均値周辺において過度には変化しない。
【０１０７】
好適なメッシュサイズ（四角形のメッシュの一辺の長さ）は、上限の５ｍｍ、好適には２．５ｍｍ、特には１．５ｍｍから、下限の０．１ｍｍ、好適には０．２５ｍｍ、特に好適には０．５ｍｍ、特には０．７ｍｍまでの範囲である。
【０１０８】
ネットのメッシュは四角形、六角形または八角形のメッシュの群から選択することが好ましい。
【０１０９】
四角形のメッシュは、一辺がａとｂである平行四辺形の形状のメッシュの形態をとる。本来、用語「平行四辺形」はまた、用語「長方形」および「正方形」を含む。平行四辺形の二辺の間の小さい方の角度は一般に６０〜９０°である。９０°の境界においては、平行四辺形は長方形の形態をとる。ａ＝ｂであり９０°の境界においては、それは正方形の形態をとる。更に、平行四辺形は高さｈａを有する。長方形または正方形の場合には、高さｈａは辺ａの長さに相当する。正方形のメッシュが特に好ましい。
【０１１０】
六角形のメッシュの場合には、お互いにそれぞれ平行である３対の辺ａ、ｂおよびｃは、間隔ｈａ、ｈｂおよびｈｃで配置される。八角形のメッシュの場合には、お互いにそれぞれ平行である４対の辺ａ、ｂ、ｃおよびｄは、間隔ｈａ、ｈｂ、ｈｃおよびｈｄで配置される。当業者は連続したパターンが八角形で作ることが出来ないことを理解している。それ故に、八角形のメッシュを含むネットは少なくとも１つの第２の種類のメッシュを更に含む。これらは四角形のメッシュの形態をとり得る。
【０１１１】
本発明の特定の実施形態では、平行四辺形、六角形および八角形の高さｈａは、０．１〜０．９９ｍｍであり、０．１〜０．９ｍｍが好ましく、０．１２〜０．８ｍｍが特に好ましく、０．２５〜０．７ｍｍが極めて特に好ましい。
【０１１２】
平行四辺形では、長さと高さの比ｂ／ｈａは１：１〜５：１であり、１：１〜４：１が好ましく、２：１〜４：１が特に好ましい。それ故に、比ｂ／ｈａが１：１の場合、メッシュは０．１〜０．９９ｍｍの１辺の長さを有する正方形の形態をとり得る。より大きな比ｂ／ｈａの場合、それらは、一方向の軸に沿って伸長する構造体の形態をとる。０．９９ｍｍ以下である間隔ｈａにより、比較的小さい昆虫でさえも効果的にネットの通過を防ぎ、一方で長さは実際に０．９９ｍｍより大きくても良いので、ネットの通気性は過度に妨げられない。
【０１１３】
六角形の場合、比（（ｈｂ＋ｈｃ）／２）／ｈａは１：１〜５：１であり、１：１〜４：１が好ましく、２：１〜４：１が特に好ましい。ここで、この状況は平行四辺形の場合と類似する。１：１の比では、３つの等しい辺を有する正六角形となり、それぞれがお互いから０．９９ｍｍ以下の等しい間隔を有する。より大きな比（（ｈｂ＋ｈｃ）／２）／ｈａでは、一方向の軸に沿って伸長する六角形となる。昆虫および空気の通過に関する効果は平行四辺形の場合と同じである。
【０１１４】
八角形の場合、比（（ｈｂ＋ｈｃ＋ｈｄ）／３）／ｈａは１：１〜５：１であり、１：１〜４：１が好ましく、２：１〜４：１が特に好ましい。ここで、この比率は平行四辺形の場合と類似する。１：１の比では、４つの等しい辺を有する正八角形となり、それぞれがお互いから０．９９ｍｍ以下の等しい間隔を有する。より大きな比（（ｈｂ＋ｈｃ＋ｈｄ）／３）／ｈａでは、一方向の軸に沿って伸長する八角形となる。昆虫および空気の通過に関する効果は平行四辺形の場合と同じである。
【０１１５】
四角形および六角形のメッシュの他にも、本実施形態においては、例えば、四角形と八角形のメッシュの組み合わせを使用すること、または、ネットの一部のメッシュの形状およびサイズを変更することも可能である。例えば、ネットの縁をより高密度に編むこともでき、または、異なるポリマーから製造したより太い繊維をネットを安定化するためにある間隔で編み込んでも良い。
【０１１６】
用語「高さ」および「長さ」は、繊維、または塗布された繊維を考慮に入れないそれぞれのメッシュの開放空間に関する。同様に、本発明の目的における用語「メッシュサイズ」はメッシュの穴のサイズ、すなわち繊維、または塗布された繊維を考慮に入れないそれぞれのメッシュの開放空間を意味する。
【０１１７】
本発明のこの実施形態による繊維ネット製品は欧州特許出願０８１６１４５６号に記載されている。
【０１１８】
本発明による繊維製品、特に本発明によるネットを製造するために使用する繊維の太さは、ネットの目的とする特性に従い当業者により選択される。一般に、繊維がより太くなるとネットの機械的安定性はそれだけ増すが、一方で、繊維被覆面積の割合と比較して開放空間の割合はメッシュサイズの減少に伴い減少する。一般に、繊維の太さは、ネットの開放空間がネットの少なくとも２０％、好適には少なくとも４０％、特には少なくとも５０％となるようにすべきである。上記の種類のネットは市販されている。
【０１１９】
好適には、使用するネットは単一層のネットの形態をとることができる。しかしながら、それらはまた、スペーサーファブリックとして知られるものの形態をとっても良く、これは、２つのネットが個々の織糸によりお互いに結合されて２層を形成しているものである。
【０１２０】
本発明による保護構造体は、害虫の寄生に対し影響を受けやすい、植物、例えばコーヒー、乾燥果実、ココア、ナッツ、茶、穀物、野菜および香辛料（スパイス）から得られる食物や他の製品のような、いずれの種類の貯蔵貨物に対しても有用である。好適な実施形態では、それは、たばこ、たばこ梱またはその他のたばこ製品を保護することに使用される。それは、あらゆる種類のたばこ、例えばニコチアナロスチカ(Nicotiana rostica)およびニコチアナタバカム(Nicotiana tabacum)、特に、ダークたばこ(dark tobacco)、ブライトたばこ(bright tobacco)、バーレーたばこ(burley tobacco)、シェードたばこ(shade tobacco)およびペリック(Perique)から製造されたたばこを保護するために使用することができる。
【０１２１】
構造体は、たばこを、たばこの輸送および貯蔵中に遭うあらゆる種類の害虫および病気から、特に昆虫、甲虫、ガおよびダニのような貯蔵害虫から保護するために有用である。
【０１２２】
このような害虫は、
タバコシバンムシ（Ｌａｓｉｏｄｅｒｍａ  ｓｅｒｒｉｃｏｒｎｅ）、タバコガ（ｔｏｂａｃｃｏ  ｍｏｔｈ）（チャマダラメイガ（Ｅｐｈｅｓｐｈａ  ｅｌｕｔｅｌｌａ））、ヒラタコクヌストモドキ（Ｔｒｉｂｏｌｉｕｍ  ｃｏｎｆｕｓｕｍ）、コクヌストモドキ（Ｔｒｉｂｏｌｉｕｍ  ｃａｓｔａｎｅｕｍ）、ノコギリヒラタムシ（Ｏｒｙｚａｅｐｈｉｌｕｓ  ｓｕｒｉｎａｍｅｎｓｉｓ）、チャイロコメゴミムシダマシ（Ｔｅｎｅｂｒｉｏ  ｍｏｌｉｔｏｒ）、ガイマイゴミムシダマシ（Ａｌｐｈｉｔｏｂｉｕｓ  ｄｉａｐｅｒｉｎｕｓ）、グラナリアコクゾウムシ（Ｓｉｔｏｐｈｉｌｕｓ  ｇｒａｎａｒｉｕｓ）、キクイムシ（コナナガシンクイ（Ｒｈｙｚｏｐｅｒｔｈａ  ｄｏｍｉｎｉｃａ））、コクゾウ（Ｓｉｔｏｐｈｉｌｕｓ  ｚｅａｍａｉｓ）、コクゾウムシ（ココクゾウ（Ｓｉｔｏｐｈｉ−ｌｕｓ  ｏｒｙｚａｅ））、バクガ（Ｓｉｔｏｔｒｏｇａ  ｃｅｒｅａｌｅｌｌａ）、ノシメマダラメイガ（Ｐｌｏｄｉａ  ｉｎｔｅｒｐｕｎｃｔｅｌｌａ）、ジンサンシバンムシ（Ｓｔｅｇｏｂｉｕｍ  ｐａｎｉｃｅｕｍ）、コクヌストモドキ（ｃａｄｅｌｌｅ  ｂｅｅｔｌｅ）（コクヌスト（Ｔｅｎｅｂｒｏｉｄｅｓ  ｍａｕｒｉｔａｎｉｃｕｓ））、ロングヘッドフラワームシ（ｌｏｎｇｈｅａｄｅｄ  ｆｌｏｕｒ  ｂｅｅｔｌｅ）（ラテチカスオリザエ（Ｌａｔｈｅｔｉｃｕｓ  ｏｒｉｚａｅ））、コメノゴミムシダマシ（Ｔｅｎｅｂｒｉｏ  ｏｂｓｃｕｒｕｓ）、カツオブシムシ（ｄｅｒｍｅｓｔｉｄ  ｂｅｅｔｌｅｓ）、例えば：ヒメカツオブシムシ（ｂｌａｃｋ  ｃａｒｐｅｔ  ｂｅｅｔｌｅ）、オビカツヲブシムシ（ｌａｒｄｅｒ  ｂｅｅｔｌｅ）、ワードローブムシ（ｗａｒｄｒｏｂｅ  ｂｅｅｔｌｅ）、オッドムシ（ｏｄｄ  ｂｅｅｔｌｅ）、ハラジロカツオブシムシ（ｈｉｄｅ  ｂｅｅｔｌｅ）、キマダラカツオブシムシ（ｗａｒｅｈｏｕｓｅ  ｂｅｅｔｌｅ）、ニセセマルヒョウホンムシ（ｓｐｉｄｅｒ  ｂｅｅｔｌｅｓ）、ゾウムシ（ｗｅｅｖｉｌｓ）、特にマメゾウムシ（ｂｅａｎ  ｗｅｅｖｉｌ）、穀物ダニ（ｇｒａｉｎ  ｍｉｔｅ）、ブラックフラワームシ（ｂｌａｃｋ  ｆｌｏｕｒ  ｂｅｅｔｌｅ）、カクムネヒラタムシ（ｆｌａｔ  ｇｒａｉｎ  ｂｅｅｔｌｅｓ）、ショウジョウバエ（ｆｒｕｉｔ  ｆｌｉｅｓ）、ショウジョウバエ（ｖｉｎｅｇａｒ  ｆｌｉｅｓ）、コクゾウムシ（ｒｕｓｔｙ  ｇｒａｉｎ  ｂｅｅｔｌｅ）、コキノコムシ（ｈａｉｒｙ  ｆｕｎｇｕｓ  ｂｅｅｔｌｅ）、カクムネヒラタムシ（ｆｌａｔ  ｇｒａｉｎ  ｂｅｅｔｌｅ）、ケシキスイ（ｓａｐ  ｂｅｅｔｌｅｓ）、シバンムシ（ｄｅａｔｈｗａｔｃｈ  ｂｅｅｔｌｅｓ）、ゴミムシダマシ（ｄａｒｋｌｉｎｇ  ｂｅｅｔｌｅｓ）、およびヒゲブトコキノコムシ（ｆｕｎｇｕｓ  ｂｅｅｔｌｅｓ）を含む。
【０１２３】
本発明によるシステムは、たばこ貯蔵における２つの主な害虫である、タバコシバンムシ(Lasioderma serricorne)およびタバコガ(tobacco moth)（チャマダラメイガ(Ephespha elutella)）の制御のために特に有用である。
【０１２４】
更なる実施形態では、本発明のシステムは、動物、特に恒温動物、例えば猫および犬のようなコンパニオン動物、馬、並びに牛、豚および羊のような生産的な家畜の輸送のために使用される。
【０１２５】
別の実施形態では、本発明のシステムは、作物および観賞植物の輸送のために使用される。
【０１２６】
これらの場合では、保護される貨物は動物および／または植物である。
【０１２７】
本発明のシステムを動物の輸送に使用することは、例えば、動物に対する隔離を避けるまたは短くするのに有用であり得る。
【０１２８】
本発明は以下の実施例によりさらに説明されるが、それにより発明が制限されることはない。
【実施例】
【０１２９】
図１には、コンテナ１０の透視図を示す。コンテナの扉１２は、内部への出入りを可能とする。３次元ネット２２は、コンテナ１０の壁を覆うために使用され、コンテナ１０の内部でかご状の構造体２０を形成する。ネット２２の前面部分２４は、かご状の構造体２０を開けるために素早く除去できるように構成されている。前面部分２４およびネット２２の主要部分上の面ファスナー(Velcro strips)２６は、前面部分２４の再接着により、かご状の構造体２０を閉じることを可能とする。
【０１３０】
図１に示されている実施形態では、ネット２２の前面部分２４は底面の方に開き、フォークリフトによるコンテナ１０への出入りが妨げられないように、フォークリフトに耐えるよう構成される。
【０１３１】
本発明の更なる実施形態では、前面部分２４は、かご状の構造体２０から完全に取り外すことができ、コンテナ１０の内部への簡単な出入りが可能である。
【０１３２】
本発明の別の実施形態では、前面部分２４は、前面部分２４をネット２２の主要部分に取り付けるための接着テープを含む。
【０１３３】
本発明の更なる実施形態では、前面部分２４をネット２２の主要部分から取り外し、再付着するための異なる手段を提供する。好適な手段は、ジッパー、ケーブル／ロープ／鎖、革ひもおよび／または輪ゴムを含む。
【０１３４】
図２は、扉１２が開いた状態のコンテナ１０の前面を示す。かご状の構造体２０は、かご状の構造体を吊るすための手段を使用してコンテナ１０に固定される。示される実施形態では、これらの手段は、コンテナ１０の天井および／または壁に配置されるネット２２およびホック１４において提供されるグロメット２８を含む。ネット２２の前面部分２４は、上記の手段のいずれかを使用して取り付けることができる。
【０１３５】
図３ａは、かご状の構造体を吊るすための手段の更なる実施形態を示す。コンテナ１０は、リング３０を提供し、グロメット２８は、ネット２２上に配置される。その後、ネット２２は、グロメット２８をリング３０につなぐ結束バンド３２を使用してコンテナ１０に取り付けることができる。ワイヤー、ロープおよび／または革ひもはまた、結束バンド３２の代わりに使用することができる。
【０１３６】
図３ｂは、かご状の構造体を吊るすための手段の更なる実施形態を示す。コンテナ１０は、ネット２２上に配置された革ひも３４を受けるためのホック１４を提供する。
【図１】
2014520514.tif 000005
【図２】
2014520514.tif 000006
【図３】
2014520514.tif 000007
【国際調査報告】
2014520514.tif 000008
2014520514.tif 000009